(57)【特許請求の範囲】
【請求項１】
製品の保証書情報を管理する電子保証書管理システムであって、
製品毎に、当該製品を識別するための製品ＩＤを含む保証書情報を送信するメーカ情報処理端末と、
販売店で消費者に製品が販売される際に、販売日、販売店情報、製品ＩＤ、及び前記消費者に係るユーザ情報を送信する販売店用情報処理端末と、
前記消費者の指示操作に従って、購入した製品の保証書情報を要求する携帯情報端末と、
前記メーカ情報処理端末からの製品毎の前記保証書情報を登録し、前記販売店用情報処理端末からの前記製品ＩＤに基づいて、登録された前記保証書情報の中から、消費者に購入された製品の保証書情報を特定するとともに、前記販売店用情報処理端末からの前記販売日、前記販売店情報、及び前記ユーザ情報を、特定した前記保証書情報に追加登録して利用可能保証書データとして保管し、前記携帯情報端末からの、当該携帯情報端末を所有する消費者に係るユーザ情報を含む要求に応じて、当該ユーザ情報に基づいて特定される前記消費者が購入した製品の利用可能保証書データを、前記携帯情報端末に送信する電子保証書管理サーバと
を備えることを特徴とする電子保証書管理システム。
【請求項２】
前記電子保証書管理サーバは、
前記携帯情報端末から保証書一覧を要求されると、前記製品ＩＤ、及び前記ユーザ情報に基づいて、前記携帯情報端末に対応する消費者が購入した製品の利用可能保証書データの一覧を送信し、前記携帯情報端末から前記利用可能保証書データの一覧から選択された製品の利用可能保証書データを要求されると、前記要求された製品の利用可能保証書データを前記携帯情報端末に送信し、
前記携帯情報端末は、
前記電子保証書管理サーバが送信される、前記利用可能保証書データの一覧、及び前記利用可能保証書データを保持するとともに、前記利用可能保証書データの一覧、及び前記利用可能保証書データを表示する
ことを特徴とする請求項１に記載の電子保証書管理システム。
【請求項３】
前記販売店用情報処理端末は、
販売店で消費者に製品が販売される際に、購入した製品を識別するための製品ＩＤを読み取るとともに、前記消費者の携帯情報端末を識別するための端末ＩＤを読み取り、前記製品ＩＤと前記端末ＩＤとを前記電子保証書管理サーバに送信し、
前記電子保証書管理サーバは、
前記メーカ情報処理端末によって登録された、製品毎の保証書情報の中から、前記製品ＩＤに基づいて、前記端末ＩＤを有する携帯情報端末の消費者に購入された製品の保証書情報を特定するとともに、前記端末ＩＤに基づいて、少なくとも消費者の氏名と、当該消費者の携帯端情報端末についての端末ＩＤと、を含んで事前に登録されたユーザ情報を特定し、前記製品ＩＤに基づいて特定された保証書情報に、前記端末ＩＤに基づいて特定されたユーザ情報を追加登録する
ことを特徴とする請求項１または２に記載の電子保証書管理システム。
【請求項４】
メーカが提供する製品の保証書情報を管理する電子保証書管理サーバであって、
前記メーカのメーカ情報処理端末から送信される製品毎の、当該製品を識別するための製品ＩＤを含む保証書情報を登録するメーカ用保証書登録管理手段と、
前記メーカ用保証書登録管理手段により登録された製品毎の前記保証書情報を保管するメーカ保証書データ保管手段と、
販売店で消費者に製品が販売される際に、前記販売店の販売店用情報処理端末から送信される前記製品ＩＤに基づいて、登録された前記保証書情報の中から、前記消費者に購入された製品の保証書情報を特定するとともに、前記販売店用情報処理端末から送信される販売日、販売店情報、及び前記消費者に係るユーザ情報を、特定した前記保証書情報に追加登録する販売店用販売情報・ユーザ情報追加登録手段と、
前記販売店用販売情報・ユーザ情報追加登録手段によって追加登録された前記保証書情報を利用可能保証書データとして保管するユーザ利用可能保証書データ保管手段と、
前記ユーザ利用可能保証書データ保管手段によって保管されている前記利用可能保証書データのうち前記ユーザ情報に基づいて特定される利用可能保証書データを、当該ユーザ情報に係る消費者が所有する携帯情報端末に提供するユーザ用保証書提供手段と
を備えることを特徴とする電子保証書管理サーバ。
【請求項５】
前記ユーザ利用可能保証書データ保管手段は、
前記携帯情報端末から保証書一覧を要求されると、前記製品ＩＤ、及び前記ユーザ情報に基づいて、前記携帯情報端末に対応する消費者が購入した製品の利用可能保証書データの一覧を特定するとともに、前記携帯情報端末から前記利用可能保証書データの一覧から選択された製品の利用可能保証書データを要求されると、前記要求された製品の利用可能保証書データを特定し、
前記ユーザ用保証書提供手段は、
前記ユーザ利用可能保証書データ保管手段によって特定された、前記利用可能保証書データの一覧、及び前記利用可能保証書データを前記携帯情報端末に送信する
ことを特徴とする請求項４に記載の電子保証書管理サーバ。
【請求項６】
前記メーカに係るメーカ情報、前記販売店に係る販売店情報、及び前記消費者に係るユーザ情報を登録・保管するメーカ・販売店・ユーザ登録情報保管手段を更に備え、
前記販売店用販売情報・ユーザ情報追加登録手段は、
販売店で消費者に製品が販売される際に、前記販売店用情報処理端末から送信される、前記販売店用情報処理端末が読み取った、購入した製品を識別するための製品ＩＤ、及び前記消費者の携帯情報端末を識別するための端末ＩＤを受信し、
前記メーカ保証書データ保管手段は、
前記メーカ情報処理端末によって登録された製品毎の保証書情報の中から、前記販売店用販売情報・ユーザ情報追加登録手段により受信された前記製品ＩＤに基づいて、前記端末ＩＤを有する携帯情報端末の消費者に購入された製品の保証書情報を特定し、
前記メーカ・販売店・ユーザ登録情報保管手段は、
前記販売店用販売情報・ユーザ情報追加登録手段により受信された前記端末ＩＤに基づいて、少なくとも消費者の氏名と、当該消費者の携帯端情報端末についての端末ＩＤと、を含んで事前に登録されたユーザ情報を特定する
ことを特徴とする請求項４または５に記載の電子保証書管理サーバ。
【請求項７】
製品の保証書情報を管理する電子保証書管理方法であって、
メーカのメーカ情報処理端末が、製品毎に、当該製品を識別するための製品ＩＤを含む保証書情報を電子保証書管理サーバに送信して登録するステップと、
販売店で消費者に製品が販売される際に、前記販売店の販売店用情報処理端末が、販売日、販売店情報、製品ＩＤ、及び前記消費者に係るユーザ情報を前記電子保証書管理サーバに送信し、前記電子保証書管理サーバが、前記販売店用情報処理端末から送信される前記製品ＩＤに基づいて、登録された前記保証書情報の中から、前記消費者に購入された製品の保証書情報を特定するとともに、前記販売店用情報処理端末から送信される前記販売日、前記販売店情報、及び前記ユーザ情報を、特定した前記保証書情報に追加登録するステップと、
前記消費者が所有する携帯情報端末が、購入した製品の保証書情報を要求するステップと、
前記電子保証書管理サーバが、前記携帯情報端末からの、当該携帯情報端末を所有する消費者に係るユーザ情報を含む要求に応じて、当該ユーザ情報に基づいて特定される前記消費者が購入した製品の利用可能保証書データを、前記携帯情報端末に送信するステップと
を含むことを特徴とする電子保証書管理方法。
【請求項８】
前記携帯情報端末が、保証書一覧を要求するステップと、
前記携帯情報端末から保証書一覧を要求されると、前記電子保証書管理サーバが、前記製品ＩＤ、及び前記ユーザ情報に基づいて、前記携帯情報端末に対応する消費者が購入した製品の利用可能保証書データの一覧を送信するステップと、
前記携帯情報端末が、前記電子保証書管理サーバから送信される、前記利用可能保証書データの一覧を保存するステップと、
前記携帯情報端末が、前記利用可能保証書データの一覧から選択された製品の利用可能保証書データを要求するステップと、
前記携帯情報端末から利用可能保証書データが要求されると、前記電子保証書管理サーバが、前記要求された製品の利用可能保証書データを前記携帯情報端末に送信するステップと、
前記携帯情報端末が、前記電子保証書管理サーバから送信される、前記利用可能保証書データを保存するステップと
を更に含むことを特徴とする請求項７に記載の電子保証書管理方法。
【請求項９】
前記販売店で消費者に製品が販売される際に、前記販売店用情報処理端末が、購入した製品を識別するための製品ＩＤを読み取るとともに、前記消費者の携帯情報端末を識別するための端末ＩＤを読み取り、前記製品ＩＤと前記端末ＩＤとを前記電子保証書管理サーバに送信するステップと、
前記電子保証書管理サーバが、前記メーカ情報処理端末によって登録された、製品毎の保証書情報の中から、前記製品ＩＤに基づいて、前記端末ＩＤを有する携帯情報端末の消費者に購入された製品の保証書情報を特定するステップと、
前記電子保証書管理サーバが、前記端末ＩＤに基づいて、少なくとも消費者の氏名と、当該消費者の携帯端情報端末についての端末ＩＤと、を含んで事前に登録されたユーザ情報を特定するステップと
を更に含むことを特徴とする請求項７または８に記載の電子保証書管理方法。
【発明の詳細な説明】
【技術分野】
【０００１】
本発明は、製品の保証書を電子情報として管理し、購入者が携帯情報端末を用いて保証書を入手・保存・利用する電子保証書管理システム、電子保証書管理サーバ、及び電子保証書管理方法に関する。
【背景技術】
【０００２】
電化製品などにおいて、ユーザが購入してからの一定期間内に不具合が生じた場合に、製品を無償で修理するための保証書が添付される。製品に添付される保証書には、商品情報や、保証内容等が記載されており、販売店名や、販売日時については、販売店にて記入される。製品を購入したユーザは、製品不具合が発生した場合に備えて、保証書を保管しておく必要がある。
【０００３】
しかしながら、ユーザが正当に保証を受けられない場合がある。販売店が販売店名や、販売日等を保証書に記入するのに困難な場合が存在する。例えば、保証書単品包装で袋を開けて取り出す必要がある場合や、製品説明書の一部（最終ページ等）として添付されているため、箱（パッケージ）を開けて取り出す必要がある場合などである。この場合、販売店が販売店名や、販売日情報等を記入しないことがあり、購入者は、保証を受けられなくなってしまうという問題がある。また、購入者（ユーザ）自身が保証書を紛失してしまった場合も同様である。また、ユーザにとって、製品毎に保証書が紙として多数存在するため、保証書の保管作業や、探索作業等が煩わしいという問題がある。
【０００４】
そこで、特許文献１では、製品を購入したユーザが保証書を保管しておく必要をなくすための保証書作成登録システムが開示されている。該保証書作成登録システムでは、製品の保証書を作成して登録するための保証書作成サーバにアクセスするためのアクセス情報を記憶しておく。ユーザは、製品自体、または製品のパッケージに取り付けられた記憶体に記憶されたアクセス情報をリーダによって読み取る。
【０００５】
携帯電話は、該読み取ったアクセス情報に従って、保証書作成サーバにアクセスする。保証書作成サーバは、携帯電話に対して保証書を作成するための入力要求情報を送信することによって保証書作成情報の入力を促す。保証書データベースは、保証書作成サーバから送信された入力要求情報に従って、携帯電話によって入力された保証書作成情報に基づいて、製品の保証書を作成し登録する。なお、保証書作成サーバは、メーカ毎に運営される。上述した特許文献１による技術によれば、製品を購入したユーザは、保証書を保管しておく必要がなくなる。また、販売店では、販売店名と販売日とを保証書に記入する必要がなくなる。
【０００６】
また、特許文献２では、真正品流通管理システムとして構成するために、メーカは、製品ＩＤと携帯ＩＤとを対応させて、その情報（製品ＩＤと携帯ＩＤとの対応）を保証書センタに登録しておき、保証書センタ装置が、サービス提供主毎に、商品毎に、さらには顧客毎に関連づけられた保証書のひな形データを多種類保持しており、商品関連情報、及び装置ＩＤ毎に該当するひな形データを使用して保証書データを生成する。
【０００７】
また、特許文献２では、携帯電話機は、購入した商品の保証書の内容（基本事項）を確認するために、保証書センタ装置から受信した購入者用保証書データの内容（購入した商品の保証書の内容）を表示部に表示し、より詳細内容については、通信を行ってWWWサーバにアクセスし、該WWWサーバが提供するマイページ画面で確認するようになっている。
【先行技術文献】
【特許文献】
【０００８】
【特許文献１】特開２００４−０３０１４７号公報
【特許文献２】特開２００８−１３４９０９号公報
【発明の概要】
【発明が解決しようとする課題】
【０００９】
しかしながら、上述した特許文献１に記載されている技術では、製品自体または製品パッケージに取り付けられた記憶体を消費者が紛失した場合、保証を受けられなくなるという問題点がある。また、製品を購入した消費者は、購入した製品毎に氏名、保証書作成情報を入力しなければならず、その作業が煩わしいといった問題点がある。また、メーカ毎に保証書作成サーバを運営する必要があるため、大企業は別として、小規模事業者にとっては、構築するのが困難である。
【００１０】
また、特許文献２に記載されている技術では、メーカや、商品毎に無限に存在するであろう保証書を、保証書センタ装置がひな形を用いて生成しなければならず、実際には困難であるという問題がある。また、携帯電話機で受信（内部保存）できるのは、購入した商品の保証書の基本事項のみであり、その他の詳細については、ＷＷＷサーバを利用したマイページ画面でしか確認できないため、保証書内容の詳細を確認するには、その度に通信を行ってＷＷＷサーバにアクセスしなければならず、手間が発生するという問題がある。
【００１１】
本発明は、このような事情を考慮してなされたものであり、その目的は、保証書への情報の記入、保証書の保管・管理に係る負担、保証書のユーザレベルでの閲覧に係る負担を軽減することができるとともに、保証書を容易に、かつ確実に管理することができる電子保証書管理システム、電子保証書管理サーバ、及び電子保証書管理方法を提供することにある。
【課題を解決するための手段】
【００１２】
上述した課題を解決するために、本発明は、製品の保証書情報を管理する電子保証書管理システムであって、製品毎に、当該製品を識別するための製品ＩＤを含む保証書情報を送信するメーカ情報処理端末と、販売店で消費者に製品が販売される際に、販売日、販売店情報、製品ＩＤ、及び前記消費者に係るユーザ情報を送信する販売店用情報処理端末と、前記消費者の指示操作に従って、購入した製品の保証書情報を要求する携帯情報端末と、前記メーカ情報処理端末からの製品毎の前記保証書情報を登録し、前記販売店用情報処理端末からの前記製品ＩＤに基づいて、登録された前記保証書情報の中から、消費者に購入された製品の保証書情報を特定するとともに、前記販売店用情報処理端末からの前記販売日、前記販売店情報、及び前記ユーザ情報を、特定した前記保証書情報に追加登録して利用可能保証書データとして保管し、前記携帯情報端末からの、当該携帯情報端末を所有する消費者に係るユーザ情報を含む要求に応じて、当該ユーザ情報に基づいて特定される前記消費者が購入した製品の利用可能保証書データを、前記携帯情報端末に送信する電子保証書管理サーバとを備えることを特徴とする電子保証書管理システムである。
【００１３】
また、上述した課題を解決するために、本発明は、メーカが提供する製品の保証書情報を管理する電子保証書管理サーバであって、前記メーカのメーカ情報処理端末から送信される製品毎の、当該製品を識別するための製品ＩＤを含む保証書情報を登録するメーカ用保証書登録管理手段と、前記メーカ用保証書登録管理手段により登録された製品毎の前記保証書情報を保管するメーカ保証書データ保管手段と、販売店で消費者に製品が販売される際に、前記販売店の販売店用情報処理端末から送信される前記製品ＩＤに基づいて、登録された前記保証書情報の中から、前記消費者に購入された製品の保証書情報を特定するとともに、前記販売店用情報処理端末から送信される販売日、販売店情報、及び前記消費者に係るユーザ情報を、特定した前記保証書情報に追加登録する販売店用販売情報・ユーザ情報追加登録手段と、前記販売店用販売情報・ユーザ情報追加登録手段によって追加登録された前記保証書情報を利用可能保証書データとして保管するユーザ利用可能保証書データ保管手段と、前記ユーザ利用可能保証書データ保管手段によって保管されている前記利用可能保証書データのうち前記ユーザ情報に基づいて特定される利用可能保証書データを、当該ユーザ情報に係る消費者が所有する携帯情報端末に提供するユーザ用保証書提供手段とを備えることを特徴とする電子保証書管理サーバである。
【００１４】
また、上述した課題を解決するために、本発明は、製品の保証書情報を管理する電子保証書管理方法であって、メーカのメーカ情報処理端末が、製品毎に、当該製品を識別するための製品ＩＤを含む保証書情報を電子保証書管理サーバに送信して登録するステップと、販売店で消費者に製品が販売される際に、前記販売店の販売店用情報処理端末が、販売日、販売店情報、製品ＩＤ、及び前記消費者に係るユーザ情報を前記電子保証書管理サーバに送信し、前記電子保証書管理サーバが、前記販売店用情報処理端末から送信される前記製品ＩＤに基づいて、登録された前記保証書情報の中から、前記消費者に購入された製品の保証書情報を特定するとともに、前記販売店用情報処理端末から送信される前記販売日、前記販売店情報、及び前記ユーザ情報を、特定した前記保証書情報に追加登録するステップと、前記消費者が所有する携帯情報端末が、購入した製品の保証書情報を要求するステップと、前記電子保証書管理サーバが、前記携帯情報端末からの、当該携帯情報端末を所有する消費者に係るユーザ情報を含む要求に応じて、当該ユーザ情報に基づいて特定される前記消費者が購入した製品の利用可能保証書データを、前記携帯情報端末に送信するステップとを含むことを特徴とする電子保証書管理方法である。
【発明の効果】
【００１５】
この発明によれば、保証書への情報の記入、保証書の保管・管理に係る負担、保証書のユーザレベルでの閲覧に係る負担を軽減することができるとともに、保証書を容易に、かつ確実に管理することができる。
【図面の簡単な説明】
【００１６】
【図１】本発明の実施形態による電子保証書管理システムの構成を示すブロック図である。
【図２】本実施形態による電子保証書管理サーバ１０５の構成を示すブロック図である。
【図３】本実施形態による、電子保証書管理サーバ１０５へのアクセスや、電子保証書の保管をユーザが行うための携帯情報端末１０２の略構成を示すブロック図である。
【図４】本実施形態による、電子保証書管理サーバ１０５の登録管理機能に各種情報登録する際の動作を説明するためのシーケンス図である。
【図５】本実施形態において、メーカのメーカ情報処理端末１０４が、電子保証書管理サーバにメーカ保証書を登録する際の動作を説明するためのシーケンス図である。
【図６】本実施形態において、電子保証書管理サーバ１０５に登録される保証書データファイルと、保証書情報とを示す概念図である。
【図７】本実施形態による、販売店用情報処理端末１０３で表示される、お客様及び販売店情報を示す模式図である。
【図８】本実施形態による、メーカ登録保証書と販売店応報及びユーザ情報とをマージしてユーザ利用可能保証書を作成する処理を示す概念図である。
【図９】本実施形態による、電子保証書管理サーバ１０５への各種登録情報のデータ構成を示す概念図である。
【図１０】本実施形態による、電子保証書管理サーバ１０５からメーカ保証書を取得して携帯情報端末１０２に保管する動作を説明するためのシーケンス図である。
【図１１】本実施形態による、携帯情報端末１０２（ユーザ）で表示される保証書一覧を示す模式図である。
【図１２】本実施形態による、携帯情報端末１０２において保証書一覧から保証書を取得する際の模式図である。
【発明を実施するための形態】
【００１７】
以下、本発明の一実施形態を、図面を参照して説明する。
【００１８】
図１は、本発明の実施形態による電子保証書管理システムの構成を示すブロック図である。図１において、電子保証書管理システムは、製品ＩＤ情報記憶媒体１０１と、携帯情報端末１０２と、販売店用情報処理端末１０３と、メーカ情報処理端末１０４、電子保証書管理サーバ１０５とからなる。製品ＩＤ情報記憶媒体１０１は、電子保証書の管理情報の１つとして用いる製品ＩＤを記録する。携帯情報端末１０２は、パーソナルコンピュータ等や、携帯電話等の情報処理装置であり、電子保証書の管理情報の１つとして使用する端末ＩＤを提供し、また電子保証書をユーザ管理する。
【００１９】
販売店用情報処理端末１０３は、パーソナルコンピュータ等や、携帯電話等の情報処理装置であり、リーダ（例えば、バーコードリーダ等）で製品ＩＤ情報記憶媒体１０１に記録されている製品ＩＤを取得する機能を備えるとともに、例えば、赤外線通信や、ＦｅｌｉＣａ（登録商標）等の近距離無線通信、外部接続端子とのケーブル接続による有線通信などで、携帯情報端末１０２の端末ＩＤを取得する機能を備える。また、販売店用情報処理端末１０３は、通信網１０６を介して、電子保証書管理サーバ１０５にアクセスする機能を備える。
【００２０】
販売店用情報処理端末１０３は、販売店が消費者に製品を販売する際に、携帯情報端末１０２の端末ＩＤと販売する製品の製品ＩＤとを取得し、販売日、販売店情報、ユーザ情報を、通信網１０６を介して、電子保証書管理サーバ１０５で管理される保証書データに追加登録するとともに、製品ＩＤに基づいて、該当保証書を取得し、また、端末ＩＤに基づいて、ユーザ情報を取得する。メーカ情報処理端末１０４は、通信網１０６を介して、製品ＩＤ毎に保証書情報（販売日、販売店情報など）を登録する。
【００２１】
電子保証書管理サーバ１０５は、通信網１０６を介して、メーカ情報処理端末１０４により製品ＩＤ毎に登録される電子保証書を管理する。また、電子保証書管理サーバ１０５は、販売店用情報処理端末１０３により追加登録されたユーザ情報、販売店情報、販売日を、製品販売時に取得した製品ＩＤ情報と端末ＩＤ情報に基づいて、メーカ情報処理端末１０４が登録した該当電子保証書に追加して管理する。また、電子保証書管理サーバ１０５は、携帯情報端末１０２から通信網１０６を介して取得要求があった場合に、該当する保証書情報を提供する。
【００２２】
図２は、本実施形態による電子保証書管理サーバ１０５の構成を示すブロック図である。図２において、電子保証書管理サーバ１０５は、メーカ用保証書登録管理機能２０２と、メーカ保証書データ保管機能２０３と、販売店用販売情報・ユーザ情報追加登録機能２０４と、ユーザ利用可能保証書データ保管機能２０５と、メーカ・販売店・ユーザ登録管理機能２０６と、メーカ・販売店・ユーザ登録情報保管機能２０７と、ユーザ用保証書提供機能２０８とを備えている。
【００２３】
メーカ用保証書登録管理機能２０２は、保証サービス提供主であるメーカのメーカ情報処理端末１０４で入力された、製品毎の保証書データを登録する。メーカ保証書データ保管機能２０３は、登録された保証書データを保管する。販売店用販売情報・ユーザ情報追加登録機能２０４は、消費者（ユーザ）が製品購入した際に、販売店の販売店用情報処理端末１０３で入力された、保証書内容としての販売情報（販売日、販売店情報）や、ユーザ情報を追加登録する。ユーザ利用可能保証書データ保管機能２０５は、追加登録されたことによって、ユーザが利用可能になった保証書内容を保管する。
【００２４】
メーカ・販売店・ユーザ登録管理機能２０６は、メーカが保証書を登録する際に利用したり、販売店が販売店情報・ユーザ情報を登録する際に利用したり、ユーザが電子保証書システムを利用したりするために、予めメーカ・販売店・ユーザ毎のアカウントを登録する。メーカ・販売店・ユーザ登録情報保管機能２０７は、メーカ・販売店・ユーザ登録管理機能２０６で登録される情報を保管する。ユーザ用保証書提供機能２０８は、ユーザの形態処理端末１０２に保証書を提供する。
【００２５】
図３は、本実施形態による、電子保証書管理サーバ１０５へのアクセスや、電子保証書の保管をユーザが行うための携帯情報端末１０２の略構成を示すブロック図である。図３において、携帯情報端末１０２は、少なくとも、アンテナ３０１を介して無線通信を行う無線部３０２と、携帯情報端末１０２を制御する制御部３０３と、制御プログラムや、各種情報を記憶しておくメモリ部３０４と、ユーザが携帯情報端末１０２を操作するための操作部３０５と、携帯情報端末１０２の状態や、情報を表示する表示部３０６とから構成される。
【００２６】
なお、メモリ部３０４には、携帯情報端末１０２毎の固有情報である端末ＩＤが格納されている。ここでいう端末ＩＤは、製造番号、電話番号、ＦｅｌｉＣａ−ＩＤなど、固有の値として保持するものであれば、いずれでも構わない。
【００２７】
次に、本実施形態の動作について説明する。
まず、メーカ（保証サービス提供主）、または販売店、またはユーザが、電子保証書管理サーバを利用するために、予め電子保証書管理サーバ１０５の登録管理機能に各種情報登録する際の動作について説明する。
【００２８】
図４は、本実施形態による、電子保証書管理サーバ１０５の登録管理機能に各種情報登録する際の動作を説明するためのシーケンス図である。メーカ情報処理端末１０４、または、販売店用情報処理端末１０３、またはユーザの携帯情報端末１０２が、電子保証書管理サーバ１０５のメーカ・販売店・ユーザ登録管理機能２０６にアカウント作成要求を送信する（ステップＳ４０１）。メーカ・販売店・ユーザ登録管理機能２０６は、上記アカウント作成要求を受信し（ステップＳ４０２）、アカウント作成許可と登録情報入力要求とを、メーカ情報処理端末１０４、または、販売店用情報処理端末１０３、または携帯情報端末１０２に送信する（ステップＳ４０３）。
【００２９】
ここで、図９（ａ）〜（ｃ）は、本実施形態による、電子保証書管理サーバ１０５への各種登録情報のデータ構成を示す概念図である。各種登録情報については、メーカ、販売店、ユーザ毎に異なる。メーカ登録情報は、図９（ａ）に示すように、メーカ名９０１、所在地９０２、電話番号９０３、メールアドレス９０４、アカウントＩＤ９０５、パスワード９０６、メーカＩＤ９０７からなる。販売店登録情報は、図９（ｂ）に示すように、販売店名９０８、住所９０９、電話番号９１０、メールアドレス９１１、アカウントＩＤ９１２、パスワード９１３、販売店ＩＤ９１４からなる。ユーザ登録情報は、図９（ｃ）に示すように、氏名９１５、住所９１６、電話番号９１７、メールアドレス９１８、アカウントＩＤ９１９、パスワード９２０、端末ＩＤ９２１からなる。なお、メーカＩＤ９０７や、販売店ＩＤ９１４は、後述するメーカ・販売店・ユーザ登録管理機能２０６による登録完了後に自動付与される。
【００３０】
メーカ情報処理端末１０４、または、販売店用情報処理端末１０３、またはユーザの携帯情報端末１０２は、登録情報入力要求を受信し（ステップＳ４０４）、各種登録情報を入力してメーカ・販売店・ユーザ登録管理機能２０６に送信する（ステップＳ４０５）。メーカ・販売店・ユーザ登録管理機能２０６は、各種登録情報を受信し（ステップＳ４０６）、登録完了通知をメーカ情報処理端末１０４、または、販売店用情報処理端末１０３、または携帯情報端末１０２に送信する（ステップＳ４０７）。メーカ情報処理端末１０４、または、販売店用情報処理端末１０３、または携帯情報端末１０２は、該登録完了通知を受信し（ステップＳ４０８）、登録完了となる。
【００３１】
このタイミングで、メーカＩＤ９０７や、販売店ＩＤ９１４が自動で付与される。また、メーカ・販売店・ユーザ登録管理機能２０６は、同時に、各種情報を登録保管するため、メーカ・販売店・ユーザ登録情報保管機能２０７に送信する（ステップＳ４０９）。メーカ・販売店・ユーザ登録情報保管機能２０７は、各種情報を受信し（ステップＳ４１０）、各種情報の登録を行う。
【００３２】
以降、電子保証書管理サーバ１０５にアクセスする場合、メーカ情報処理端末１０４、または、販売店用情報処理端末１０３、または携帯情報端末１０２が、メーカ・販売店・ユーザ登録管理機能２０６にアクセスしてアカウントＩＤや、パスワードを入力してログイン要求を送信すると（ステップＳ４１１）、メーカ・販売店・ユーザ登録管理機能２０６は、ログイン要求を受信し（ステップＳ４１２）、ログイン情報を元にメーカ・販売店・ユーザ登録情報保管機能２０７に該当データの検索要求を送信する（ステップＳ４１３）。
【００３３】
メーカ・販売店・ユーザ登録情報保管機能２０７は、検索要求を受信し（ステップＳ４１４）、該当の登録情報データをメーカ・販売店・ユーザ登録管理機能２０６に送信する（ステップＳ４１５）。メーカ・販売店・ユーザ登録管理機能２０６は、登録情報データを受信し（ステップＳ４１６）、ログイン許可と必要に応じて該当登録情報データを、メーカ情報処理端末１０４、または、販売店用情報処理端末１０３、または携帯情報端末１０２に提供する（ステップ４１７）。メーカ情報処理端末１０４、または、販売店用情報処理端末１０３、または携帯情報端末１０２は、登録情報データを受信する（ステップＳ４１８）。
【００３４】
次に、メーカが、メーカ情報処理端末１０４を用いて、電子保証書管理サーバ１０５にメーカ保証書を登録する際の動作について説明する。
【００３５】
図５は、本実施形態において、メーカのメーカ情報処理端末１０４が、電子保証書管理サーバにメーカ保証書を登録する際の動作を説明するためのシーケンス図である。また、図６は、本実施形態において、電子保証書管理サーバ１０５に登録される保証書データファイルと、保証書情報とを示す概念図である。
【００３６】
電子保証書管理サーバ１０５を利用する際に、メーカ情報処理端末１０４は、電子保証書管理サーバ１０５にログインする（ステップＳ５０１）。メーカ情報処理端末１０４は、製品毎に保証書データ・情報の登録内容をメーカ保証書登録管理機能２０２に送信する（ステップＳ５０２）。保証書データ・情報は、図６に示すように、保証書データとして、保証書データファイル６０１と、保証書情報として、製品ＩＤ６０２、製品名６０３、形名６０４、販売後の有効期間６０５とからなる。メーカ保証書登録管理機能２０２は、上記保証書データ・情報を受信し（ステップＳ５０３）、登録情報をメーカ保証書データ保管機能２０３に送信する（ステップＳ５１８）。メーカ保証書データ登録理機能２０３は、上記保証書データ・情報を受信して保管する（ステップＳ５０４）。
【００３７】
次に、販売店が販売時に、販売店用情報処理端末１０３を用いて、販売情報・ユーザ情報を追加登録する動作について説明する。まず、販売店では、販売店用情報処理端末１０３を用いて、電子保証書管理サーバ１０５にログインする（ステップＳ５０５）。ユーザに製品販売したとき、販売店では、販売店用情報処理端末１０３にて、製品ＩＤをバーコードリーダ等で読み取り、また、携帯情報端末１０２の端末ＩＤを、近距離無線通信や、有線通信で読み取る（ステップＳ５１９）。販売店用情報処理端末１０３は、該当保証書を検索するため、製品ＩＤ情報と端末ＩＤ情報とを販売情報・ユーザ情報追加登録機能２０４に送信する（ステップＳ５０６）。
【００３８】
販売情報・ユーザ情報追加登録機能２０４は、上記製品ＩＤ情報と端末ＩＤ情報とを受信し（ステップＳ５０７）、メーカ保証書データ保管機能２０３に製品ＩＤ情報を送信し（Ｓステップ５０８）、該当保証書を検索する。メーカ保証書保管機能２０３は、製品ＩＤ情報を受信すると（Ｓ５０９）、該当保証書を販売情報・ユーザ情報追加登録機能２０４に送信する（ステップＳ５１０）。
【００３９】
販売情報・ユーザ情報追加登録機能２０４は、該当保証書を受信し（ステップＳ５１１）、これと同時に、販売店ＩＤと端末ＩＤとをメーカ・販売店・ユーザ登録情報保管機能２０７に送信する（ステップＳ５２０）。これをメーカ・販売店・ユーザ登録情報保管機能２０７が受信し（ステップＳ５２１）、販売店ＩＤと端末ＩＤとを元に、販売店登録情報（販売店名９０８、販売店の住所９０９、販売店の電話番号９１０）とユーザ登録情報（お名前９１５、ユーザの住所９１６、ユーザの電話番号９１７）とを、販売情報・ユーザ情報追加登録機能２０４に送信する（ステップＳ５２２）。
【００４０】
販売情報・ユーザ情報追加登録機能２０４は、販売店登録情報とユーザ登録情報とを受信し（ステップＳ５２３）、販売店用情報処理端末１０３に該当保証書と販売店追加登録要求とを送信する（ステップＳ５１２）。販売店用情報処理端末１０３は、該当保証書と販売店追加登録要求を受信すると（ステップＳ５１３）、該当保証書内容について確認するとともに、販売店追加登録要求に応じ、販売日・販売店情報・ユーザ情報について入力を行う。
【００４１】
ここで、図７は、本実施形態による、販売店用情報処理端末１０３で表示される、お客様及び販売店情報を示す模式図である。販売店追加登録要求事項は、図７に示すように、ユーザ情報として、お客様のお名前７０１、ご住所７０２、電話番号７０３、端末ＩＤ７０８、販売店・販売日情報として、店名７０４、住所７０５、電話番号７０６、お買上げ年月日７０７等の情報からなる。なお、これらの入力情報のうち、お買い上げ年月日７０７以外の項目は、ステップＳ５２３にて取得した販売店登録情報（販売店名９０８、販売店の住所９０９、販売店の電話番号９１０）、ユーザ登録情報（お名前９１５、ユーザの住所９１６、ユーザの電話番号９１７）を用いて自動で入力される。つまり、自動入力される内容に問題なければ、販売店では、販売店用情報処理端末１０３からお買い上げ年月日７０７のみを入力すればよい。販売店では、販売店用情報処理端末１０３に、これらの情報を入力し、販売情報・ユーザ情報追加登録機能２０４に送信する（ステップＳ５１４）。
【００４２】
ここで、図８は、本実施形態による、メーカ登録保証書と販売店応報及びユーザ情報とをマージしてユーザ利用可能保証書を作成する処理を示す概念図である。販売情報・ユーザ情報追加登録機能２０４は、販売日・販売店情報・ユーザ情報を受信し（ステップＳ５１５）、図８に示すように、販売店情報及びユーザ情報８０２としてファイル化し、メーカ登録保証書８０１と販売店情報及びユーザー情報８０２とをマージ（結合）して、ユーザ利用可能保証書８０３を作成する（ステップＳ５２４）。販売情報・ユーザ情報追加登録機能２０４は、ユーザ利用可能保証書８０３をユーザ利用可能保証書データ保管機能２０５に送信する（ステップＳ５１６）。ユーザ利用可能保証書データ保管機能２０５は、ユーザ利用可能保証書８０３を受信し（ステップＳ５１７）、登録保管する。
【００４３】
次に、携帯情報端末１０２にて電子保証書管理サーバ１０５にアクセスし、メーカ保証書を取得して携帯情報端末１０２に保管する動作ついて説明する。
【００４４】
図１０は、本実施形態による、電子保証書管理サーバ１０５からメーカ保証書を取得して携帯情報端末１０２に保管する動作を説明するためのシーケンス図である。まず、ユーザは、携帯情報端末１０２を用いて電子保証書管理サーバ１０５にログインする（ステップＳ１００１）。携帯情報端末１０２は、ユーザ用保証書提供機能２０８に保証書一覧表示要求を送信する（ステップＳ１００２）。
【００４５】
ユーザ用保証書提供機能２０８は、上記保証書一覧表示要求を受信すると（ステップＳ１００３）、ユーザ利用可能保証書データ保管機能２０５に携帯情報端末１０２からのログイン情報（アカウントＩＤ）を送信する（ステップＳ１００４）。ユーザ利用可能保証書データ保管機能２０５は、ログイン情報を受信し（ステップＳ１００５）、ユーザが所持する保証書一覧をユーザ用保証書提供機能２０８に送信する（ステップＳ１００６）。ユーザ用保証書提供機能２０８は、保証書一覧を受信し（ステップＳ１００７）、携帯情報端末（ユーザ）１０２に保証書一覧を送信する（ステップＳ１００８）。携帯情報端末（ユーザ）１０２は、保証書一覧を受信して表示する（ステップＳ１００９）。
【００４６】
図１１は、本実施形態による、携帯情報端末１０２（ユーザ）で表示される保証書一覧を示す模式図である。図１１に示すように、携帯情報端末１０２での表示内容は、購入日１１０１、商品名１１０２、保証期間１１０３、詳細ボタン１１０４、ダウンロードボタン１１０５等からなる。携帯情報端末１０２のユーザがダウンロードボタン１１０５を押下すると、携帯情報端末１０２は、ユーザ用保証書提供機能２０８にダウンロード要求を送信する（ステップＳ１０１０）。ユーザ用保証書提供機能２０８は、ダウンロード要求を受信すると（ステップＳ１０１１）、ユーザ利用可能保証書データ保管機能２０５に該当保証書要求を送信する（ステップＳ１０１２）。
【００４７】
ユーザ利用可能保証書データ保管機能２０５は、該当保証書要求を受信すると（ステップＳ１０１３）、ユーザ用保証書提供機能２０８に該当保証書データを送信する（ステップＳ１０１４）。ユーザ用保証書提供機能２０８は、該当保証書データを受信し（ステップＳ１０１５）、携帯情報端末１０２に該当保証書データを送信する（ステップＳ１０１６）。携帯情報端末１０２は、該当保証書データを受信し（ステップＳ１０１７）、内部メモリに保存する（ステップＳ１０１８）。
【００４８】
図１２は、本実施形態による、携帯情報端末１０２において保証書一覧から保証書を取得する際の模式図である。携帯情報端末１０２は、内部メモリに保存した保証書データを、図１２に示すように、購入日１２０１、商品名１２０２、保証期間１２０３、表示ボタン１２０４等からなる保証書一覧として表示する。ユーザは、所望する商品の表示ボタン１２０４を押下することで、該当する保証書データを閲覧・利用することができる。
【００４９】
保証サービスは、携帯情報端末１０２に保存した保証書データの提示、または、電子保証書管理サーバ１０５のユーザ利用可能保証書データ保管機能２０５にある該当保証書データのメーカ確認によって受けることが可能である。また、メーカがアフターサービス（保証期間外の有償修理や、リコールなどによる回収修理）等を行う際には、メーカ情報処理端末１０４を用いて、電子保証書管理サーバ１０５にアクセスして製品ＩＤを元に顧客データ（ユーザ情報）を検索・収集することも可能である。
【００５０】
上述した実施形態によれば、電子保証書管理サーバで製品毎の保証書、ユーザ毎のユーザ情報を一元管理しているため、ユーザ、製品販売店、メーカ（保証サービス提供主）のそれぞれが容易に保証書登録管理を行うことができるシステムを構築することができる。
【００５１】
また、保証を受ける側であるユーザは、電子保証書管理サーバ１０５、または自身の携帯情報端末１０２に保証書が電子ファイルとして保存されているため、購入した任意の製品の保証書をいつでも入手、閲覧することができ、保証書の保管、探索などの作業を容易に行うことができる。また、ユーザ自身が保証書を紙として保管しておく必要がなく、紛失の恐れもないため、一定期間以内に製品に不具合が発生した場合に、正当に、かつ確実に保証を受けることができる。
【００５２】
また、製品を販売する販売店は、販売時に販売店情報を記入するべき保証書を、箱や袋から取出したりすることなく、保証書に販売店情報、販売日を、容易に、かつ確実に記入することができるため、記入がないことによりユーザが保証サービスを正当に受けられなくなるといったことを回避することができる。
【００５３】
また、保証サービス提供主であるメーカは、保証書を印刷して保管する手間がなくなる。また、保証書の登録・管理も容易にできる。更には、アフターサービス（保証期間外の有償修理や、リコールなどによる回収修理）等にも、商品毎の顧客情報を利用することができる。
【００５４】
なお、上述した実施形態では、保証書について説明したが、これに限らず、製品（商品）説明書等を上述したシステムで一元管理し、携帯情報端末により保存できるようにしてもよい。説明書は、各メーカのホームページ等で電子ファイルとして掲載している場合も多いが、ユーザにとっては各種ホームページにアクセスする必要があり、煩わしいが、この場合、ユーザにとっては、製品（商品）説明書を紙として保管する必要なく、いつでも利用可能であり、メーカにとっては、紙代、印刷代等のコスト削減ができる。
【００５５】
また、保証書の管理以外にも、販売店による広告（チラシ）を一元管理し、携帯情報端末で閲覧または保存できるようにしてもよい。この場合、上述した実施形態で説明した、メーカの処理（保証書の登録等）は必要なく、代わりに販売店が広告を管理サーバに登録する必要がある。登録データは、上記実施形態における保証書データ６０１に代わって広告データ、保証書情報６０２〜６０５に代わって広告情報（広告ＩＤ、広告名、掲載する商品名とその価格、等）となる。広告は各販売店のホームページ等で電子ファイルとして掲載している場合も増えてきているが、ユーザーにとっては各種ホームページにアクセスする必要があり、煩わしいが、この場合、ユーザにとっては、各種広告を容易に取得することができ、また紙面として保持する必要なく、更には各種販売店の商品や価格を検索できる。
【００５６】
また、上述した実施形態では、ユーザが携帯情報端末１０２で電子保証書管理サーバ１０５にアクセスして保証書を取得するとしたが、販売店が販売店用情報処理端末１０３を用いて、販売時に利用可能になった保証書を取得し、ユーザに送信する、といった動作にしてもよい。この場合、販売店が販売店用情報処理端末１０３を用いて保証書データに販売店情報とユーザ情報とを追加登録し（ステップＳ５１４）、ユーザ利用可能保証書データ保管機能２０５に保管し（ステップＳ５１７）、その後に、販売店が販売店用情報処理端末１０３を用いて保管したデータを取得し、携帯情報端末１０２に近距離無線通信や、有線通信で送信を行えばよい。
【符号の説明】
【００５７】
１０１  製品ＩＤ情報記憶媒体
１０２  携帯情報端末
１０３  販売店用情報処理端末
１０４  メーカ情報処理端末
１０５  電子保証書管理サーバ
１０６  通信網
２０２  メーカ用保証書登録管理機能
２０３  メーカ保証書データ保管機能
２０４  販売店用販売情報・ユーザ情報追加登録機能
２０５  ユーザ利用可能保証書データ保管機能
２０６  メーカ・販売店・ユーザ登録管理機能
２０７  メーカ・販売店・ユーザ登録情報保管機能
２０８  ユーザ用保証書提供機能
３０１  アンテナ
３０２  無線部
３０３  制御部
３０４  メモリ部
３０５  操作部
３０６  表示部
【図１】
0005679291.tif 000002
【図２】
0005679291.tif 000003
【図３】
0005679291.tif 000004
【図４】
0005679291.tif 000005
【図５】
0005679291.tif 000006
【図６】
0005679291.tif 000007
【図７】
0005679291.tif 000008
【図８】
0005679291.tif 000009
【図９】
0005679291.tif 000010
【図１０】
0005679291.tif 000011
【図１１】
0005679291.tif 000012
【図１２】
0005679291.tif 000013